(57)【特許請求の範囲】
【請求項１】
想定する範囲内に居る人の検出結果を示す結果データを入力する入力部と、
プロジェクタと、前記プロジェクタが画像を投影可能な投影対象である第１の投影対象部材及び第２の投影対象部材とにおいて、前記プロジェクタと前記第１の投影対象部材との間の位置関係を変更可能な駆動部を駆動させて前記位置関係を変更させ、前記第１の投影対象部材及び前記第２の投影対象部材のうちの一方に対し、前記プロジェクタによる前記画像の投影を可能にさせる駆動制御部と、
前記結果データが示す前記検出結果を基に、前記駆動制御部を介した前記駆動部の駆動による前記第１の投影対象部材及び前記第２の投影対象部材を含む前記投影対象の切り換え、及び前記プロジェクタに投影させる前記画像の切り換えを行う切換制御部と、
を備え、
前記第１の投影対象部材は、前記駆動部により、前記プロジェクタと前記第２の投影対象部材との間の位置への移動及び前記位置からの退避が可能となっており、
前記切換制御部は、前記第１の投影対象部材及び前記第２の投影対象部材の間において前記画像を前記プロジェクタに投影させる前記投影対象を切り換える際、前記画像の切り換えを併せて行う、
表示切換制御装置。
【請求項２】
前記切換制御部は、前記検出結果が人の存在を示していない場合、前記プロジェクタに前記画像を前記第１の投影対象部材に投影させる、
請求項１に記載の表示切換制御装置。
【請求項３】
前記検出結果が人の位置を示す場合、前記切換制御部は、前記検出結果が示す人の位置に応じて、前記プロジェクタに投影させる前記画像の切り換えを行う、
請求項１又は２に記載の表示切換制御装置。
【請求項４】
前記切換制御部は、前記プロジェクタに前記画像を前記第２の投影対象部材に投影させる場合、前記画像として、データ入力用の画面を前記プロジェクタに投影させる、
請求項１〜３の何れか１項に記載の表示切換制御装置。
【請求項５】
プロジェクタと、前記プロジェクタが画像を投影可能な投影対象である第１の投影対象部材及び第２の投影対象部材とにおいて、前記プロジェクタと前記第１の投影対象部材との間の位置関係を変更可能な駆動部を駆動させて前記位置関係を変更させ、前記第１の投影対象部材及び前記第２の投影対象部材のうちの一方に対し、前記プロジェクタによる前記画像の投影を可能にさせる駆動制御機能と、
想定する範囲内に居る人の検出結果を示す結果データを処理し、前記結果データが示す前記検出結果を基に、前記駆動制御機能を介した前記駆動部の駆動による前記第１の投影対象部材及び前記第２の投影対象部材を含む投影対象の切り換え、及び前記プロジェクタに投影させる前記画像の切り換えを行う切換制御機能と、
を情報処理装置に実現させ、
前記第１の投影対象部材は、前記駆動部により、前記プロジェクタと前記第２の投影対象部材との間の位置への移動及び前記位置からの退避が可能となっており、
前記切換制御機能は、前記第１の投影対象部材及び前記第２の投影対象部材の間において前記画像を前記プロジェクタに投影させる前記投影対象を切り換える際、前記画像の切り換えを併せて前記情報処理装置に実現させる、
表示切換制御プログラム。
【請求項６】
想定する範囲内に居る人を検出する検出センサと、
画像を投影するプロジェクタと、
前記プロジェクタと、前記プロジェクタが前記画像を投影可能な対象である第１の投影対象部材、及び第２の投影対象部材とにおいて、前記プロジェクタと前記第１の投影対象部材との間の位置関係を変更可能にする駆動部と、
前記検出センサによる人の検出結果を示す結果データを入力し、前記駆動部、及び前記プロジェクタを制御する表示切換制御装置と、を備え、
前記表示切換制御装置は、前記検出センサから入力される前記結果データを処理し、前記結果データが示す前記検出結果を基に、前記駆動部の駆動による前記第１の投影対象部材及び前記第２の投影対象部材を含む投影対象の切り換え、及び前記プロジェクタに投影させる前記画像の切り換えを行い、
前記第１の投影対象部材は、前記駆動部により、前記プロジェクタと前記第２の投影対象部材との間の位置への移動及び前記位置からの退避が可能となっており、
前記表示切換制御装置は、前記第１の投影対象部材及び前記第２の投影対象部材の間において前記画像を前記プロジェクタに投影させる前記投影対象を切り換える際、前記画像の切り換えを併せて行う、
表示システム。
【請求項７】
プロジェクタが画像を投影可能な対象として第１の投影対象部材及び第２の投影対象部材を含む投影対象を用意し、
前記第１の投影対象部材と前記プロジェクタとの間の位置関係を駆動部により変更可能とし、
想定する範囲内に居る人を検出する検出センサによる検出結果を基に、前記駆動部を用いた前記第１の投影対象部材及び前記第２の投影対象部材の間における前記プロジェクタに前記画像を投影させる前記投影対象の切り換え、及び前記プロジェクタに投影させる前記画像の切り換えを情報処理装置に行わせ、
前記第１の投影対象部材は、前記駆動部により、前記プロジェクタと前記第２の投影対象部材との間の位置への移動及び前記位置からの退避が可能となっており、
前記情報処理装置に前記第１の投影対象部材及び前記第２の投影対象部材の間において前記画像を前記プロジェクタに投影させる前記投影対象の切り換えを行わせる際、前記画像の切り換えを併せて行わせる、
表示切換制御方法。
【発明の詳細な説明】
【技術分野】
【０００１】
本発明は、プロジェクタによる画像の投影のための表示切換制御装置、表示切換制御プログラム、表示システム、及び表示切換制御方法に関する。
【背景技術】
【０００２】
プロジェクタが投影する画像を人が視認できるか否かは、投影部材上の投影面と人との間の位置関係に依存する。このことから、より多くの人が視認できるように、スクリーンの両面を投影面として、その２つの面への画像の投影が可能なプロジェクタを用いる表示システムがある（例えば、特許文献１参照）。
【先行技術文献】
【特許文献】
【０００３】
【特許文献１】特開２０１８−１５９８８６号公報
【発明の概要】
【発明が解決しようとする課題】
【０００４】
上記従来の表示システムでは、投影面毎に異なる画像を投影させることができる。人の検出結果を利用し、画像を投影させる投影面を決定することができる。しかし、面毎に異なる画像を投影させたとしても、人が画像を視認できる面は１つのみである。
【０００５】
画像を投影すべき投影面と人との間の望ましい位置関係は、その画像の内容によって異なる場合がある。例えばデータ入力用の画面を画像として投影する場合、データ入力が容易に行えるように、人が見下ろせる位置に画像を投影するのが望ましい。しかし、人が見下ろせる位置の投影面に投影された画像は、近くの位置に居ない人にとっては視認し難い。このように、画像の視認のし易さは、投影面と人との間の位置関係によって変化し、画像の内容により、望ましい投影面の位置も変化する。
【０００６】
本発明は、人の検出結果に応じて、投影すべき画像をより適切な位置に自動的に投影させることが可能な表示切換制御装置、表示切換制御プログラム、表示システム、及び表示切換制御方法を提供することを目的とする。
【課題を解決するための手段】
【０００７】
本発明に係る表示切換制御装置は、想定する範囲内に居る人の検出結果を示す結果データを入力する入力部と、プロジェクタと、プロジェクタが画像を投影可能な投影対象である第１の投影対象部材及び第２の投影対象部材とにおいて、プロジェクタと第１の投影対象部材との間の位置関係を変更可能な駆動部を駆動させて位置関係を変更させ、第１の投影対象部材及び第２の投影対象部材のうちの一方に対し、プロジェクタによる画像の投影を可能にさせる駆動制御部と、結果データが示す検出結果を基に、駆動制御部を介した駆動部の駆動による第１の投影対象部材及び第２の投影対象部材を含む投影対象の切り換え、及びプロジェクタに投影させる画像の切り換えを行う切換制御部と、を備え、第１の投影対象部材は、駆動部により、プロジェクタと第２の投影対象部材との間の位置への移動及び上記位置からの退避が可能となっており、切換制御部は、第１の投影対象部材及び第２の投影対象部材の間において画像をプロジェクタに投影させる投影対象を切り換える際、画像の切り換えを併せて行う。
【０００８】
本発明に係る表示切換制御プログラムは、プロジェクタと、プロジェクタが画像を投影可能な投影対象である第１の投影対象部材及び第２の投影対象部材とにおいて、プロジェクタと第１の投影対象部材との間の位置関係を変更可能な駆動部を駆動させて位置関係を変更させ、第１の投影対象部材及び第２の投影対象部材のうちの一方に対し、プロジェクタによる画像の投影を可能にさせる駆動制御機能と、想定する範囲内に居る人の検出結果を示す結果データを処理し、結果データが示す検出結果を基に、駆動制御機能を介した駆動部の駆動による第１の投影対象部材及び第２の投影対象部材を含む投影対象の切り換え、及びプロジェクタに投影させる画像の切り換えを行う切換制御機能と、を情報処理装置に実現させ、第１の投影対象部材は、駆動部により、プロジェクタと第２の投影対象部材との間の位置への移動及び上記位置からの退避が可能となっており、切換制御機能は、第１の投影対象部材及び第２の投影対象部材の間において画像をプロジェクタに投影させる投影対象を切り換える際、画像の切り換えを併せて情報処理装置に実現させる。
【０００９】
本発明に係る表示システムは、想定する範囲内に居る人を検出する検出センサと、画像を投影するプロジェクタと、プロジェクタと、プロジェクタが画像を投影可能な対象である第１の投影対象部材、及び第２の投影対象部材とにおいて、プロジェクタと第１の投影対象部材との間の位置関係を変更可能にする駆動部と、検出センサによる人の検出結果を示す結果データを入力し、駆動部、及びプロジェクタを制御する表示切換制御装置と、を備え、表示切換制御装置は、検出センサから入力される結果データを処理し、結果データが示す検出結果を基に、駆動部の駆動による第１の投影対象部材及び第２の投影対象部材を含む投影対象の切り換え、及びプロジェクタに投影させる画像の切り換えを行い、第１の投影対象部材は、駆動部により、プロジェクタと第２の投影対象部材との間の位置への移動及び上記位置からの退避が可能となっており、表示切換制御装置は、第１の投影対象部材及び第２の投影対象部材の間において画像をプロジェクタに投影させる投影対象を切り換える際、画像の切り換えを併せて行う。
【００１０】
本発明に係る表示切換制御方法は、プロジェクタが画像を投影可能な対象として第１の投影対象部材及び第２の投影対象部材を含む投影対象を用意し、第１の投影対象部材とプロジェクタとの間の位置関係を駆動部により変更可能とし、想定する範囲内に居る人を検出する検出センサによる検出結果を基に、駆動部を用いた第１の投影対象部材及び第２の投影対象部材の間におけるプロジェクタに画像を投影させる投影対象の切り換え、及びプロジェクタに投影させる画像の切り換えを情報処理装置に行わせ、第１の投影対象部材は、駆動部により、プロジェクタと第２の投影対象部材との間の位置への移動及び上記位置からの退避が可能となっており、情報処理装置に第１の投影対象部材及び第２の投影対象部材の間において画像をプロジェクタに投影させる投影対象の切り換えを行わせる際、画像の切り換えを併せて行わせる。
【発明の効果】
【００１１】
本発明によれば、人の検出結果に応じて、投影すべき画像をより適切な位置に自動的に投影させることができる。
【図面の簡単な説明】
【００１２】
【図１】本発明の実施の形態１に係る表示システムが適用された入力台の例を示す図である。
【図２】本発明の実施の形態１に係る表示システムが適用された入力台の設置例、及び２つの人感センサが人を検出可能な範囲の例を示す図である。
【図３】入力台の上部の例を示す断面図である。
【図４】データ入力用の画面の例を説明する図である。
【図５】データ入力のために訪問者を誘導するためにアクリル板に投影させる画像の例を示す図である。
【図６】入力画面が表示されることを訪問者に知らせるためにアクリル板に投影させる画像の例を示す図である。
【図７】本発明の実施の形態１に係る表示システムの構成例、及びその表示システムに含まれる表示切換制御装置の機能構成例を示す図である。
【図８】表示切換制御処理の例を示すフローチャートである。
【図９】表示切換制御処理の例を示すフローチャートである。
【図１０】表示切換制御処理の例を示すフローチャートである。
【図１１】本発明の実施の形態１に係る表示切換制御装置として用いることが可能な情報処理装置のハードウェア構成例を示す図である。
【発明を実施するための形態】
【００１３】
以下、本発明に係る表示切換制御装置、表示切換制御プログラム、表示システム、及び表示切換制御方法の実施の形態を、図を参照して説明する。
【００１４】
本発明に係る表示切換制御プログラムは、情報処理装置を本発明に係る表示切換制御装置として動作させるものである。本発明に係る表示システム、及び表示切換制御方法は、本発明に係る表示切換制御装置を用いて実現される。このことから、ここでは、基本的には表示切換制御装置に着目し、説明を行うこととする。なお、以下に示す変形例を含む実施の形態は一例であり、これら実施の形態に本発明は限定されない。
【００１５】
実施の形態１．
図１は、本発明の実施の形態１に係る表示システムが適用された入力台の例を示す図である。
【００１６】
この入力台１０は、下部１１、及び上部１２に大別される。下部１１は、天板１１１、及び棚１１２を備え、棚１１２の奥側に収納部が存在する。この収納部には、本実施の形態に係る表示切換制御装置が収納されている。棚１１２には、人を検出できる範囲が異なる２つの人感センサ１５ａ、１５ｂが設置されている。区別する必要のない場合、或いは２つとも対応する場合、「人感センサ１５」と表記する。
【００１７】
上部１２は、プロジェクタが収納可能なものである。プロジェクタは、上部１２に設けられた開口部１２１を通して画像を投影するようになっている。プロジェクタは、データ入力用の画面を画像として投影することができる。その画面上でのデータ入力は、専用の電子ペンを用いて行われるものである。プロジェクタは、電子ペンから送信される情報を解析して、ユーザが電子ペンを用いて行った操作内容、及び操作位置を特定し、ユーザが入力したデータを認識する。プロジェクタによって投影される画像は、時間の経過に応じて自動的に変化しない静止画、或いは時間の経過に応じて自動的に変化する動画である。電子ペンを用いた操作に応じて変化する画像は、静止画である。
【００１８】
図２は、本発明の実施の形態１に係る表示システムが適用された入力台の設置例、及び２つの人感センサが人を検出可能な範囲の例を示す図である。
【００１９】
上記のように、入力台１０に収納されたプロジェクタは、データ入力に対応したものである。このことから、入力台１０は、例えば会社等への訪問者に必要事項を入力させる受け付け用の目的で設置させることが考えられる。図２に示す例において、２１〜２３は壁である。２４は、入口に設けられたドア、例えば自動ドアである。入力台１０は、入口から見て奥に位置する壁２３の入口側に設置されている。入力台１０の壁２２とは反対側には、人が通るスペースが設けられている。
【００２０】
２つの人感センサ１５において、人を検出可能な範囲、つまり距離は、例えば人感センサ１５ａの方が大きくなっている。全体が扇形の第１エリア２６は、人感センサ１５ａが人を検出可能な範囲である。その第１エリア２６の一部である第２エリア２７は、人感センサ１５ｂが人を検出可能な範囲である。このような２つの人感センサ１５を設置したのは、人が居る位置に応じて、プロジェクタに投影させる画像を切り換えるようにしたためである。その画像の切り換えにより、人が居る位置に応じた望ましい情報を提供することができる。第１エリア２６、及び第２エリア２７共に、本実施の形態における想定する範囲に相当する。
【００２１】
図３は、入力台の上部の例を示す断面図である。図３では、前後方向、及び上下方向を併せて示している。以降、この位置関係を前提とし、説明を行うこととする。
【００２２】
図３に示すように、上部１２には、板状部材３１〜３４により囲まれた空間が収納部３５として形成されている。その収納部３５内に、プロジェクタ３０が収納される。開口部１２１は、板状部材３１と板状部材３２との間の隙間として形成されている。プロジェクタ３０の投影部３０ａが画像の投影用に照射する投影光Ｌは、開口部１２１を通るようになっている。
【００２３】
板状部材３１の後側には、透過性を有する板状部材３６が存在する。この板状部材３６は、図３に示すように、駆動部３７によって上下方向上、移動可能になっている。その移動により、板状部材３６とプロジェクタ３０との間の位置関係が変化する。板状部材３６を開口部１２１の位置に移動させた場合、投影光Ｌは板状部材３６の後側に投影され，板状部材３６の前側から画像が視認可能になる。板状部材３６を開口部１２１から退避させた場合、投影光Ｌは天板１１１の上面に投影される。このようなことから、本実施の形態において、第１の投影対象部材には板状部材３６が相当し、第２の投影対象部材に天板１１１が相当する。
【００２４】
投影光Ｌを投影させる対象となる板状部材３６としては、透明でない透過性を有する部材を幅広く採用することができる。その部材としては、例えばアクリル板を挙げることができる。板状部材３１〜３４と区別するために、以降、板状部材３６はアクリル板３６と表記する。
【００２５】
駆動部３７は、アクリル板３６を上下動させることが可能な動力源を少なくとも備える。アクリル板３６を適切に上下動させると共に、その位置を安定的に維持できるように、上部１２にはアクリル板３６用の案内機構が設けられている。レール等のガイド用部材は、案内機構の１例に相当する。図３では、このような案内機構、駆動部３７からアクリル板３６に動力を伝達する伝達機構等を省略している。
【００２６】
天板１１１の上面は、人が見下ろす位置に存在する。このことから、天板１１１の上面に投影させる画像は、データ入力用の画面としている。そのような画面を天板１１１の上面に投影させることにより、訪問者は容易にデータ入力を行うことができる。この画面は、以降「入力画面」と表記する。
【００２７】
図４は、データ入力用の画面の例を説明する図である。ここで図４を参照し、入力画面の例について具体的に説明する。
【００２８】
図４に例を示す入力画面４０は、名前入力用である。この入力画面４０には、データ入力エリア４１が設けられ、データ入力エリア４１の横側に、複数の入力項目選択ボタン４２が配置されている。データ入力エリア４１の上側には、「完了」ボタン４３、及び「キャンセル」ボタン４４が配置されている。ここでは、「４０」は、全ての入力画面の符号として用いる。
【００２９】
訪問者は、入力項目選択ボタン４２を電子ペンで操作することにより、操作された入力項目選択ボタン４２に対応する入力画面４０を表示させることができる。各入力項目選択ボタン４２に設けられたチェックボックス４２ａは、表示されている入力画面４０の種類、言い換えれば入力可能となっている項目を視覚的に示している。
【００３０】
データ入力エリア４１には、入力項目表示エリア４１１、入力結果表示エリア４１２、複数のデータ書込エリア４１３、「はい」ボタン４１４、「一文字消す」ボタン４１５が配置されている。入力項目表示エリア４１１内には、「入力を中止する」ボタン４１１ａが配置されている。
【００３１】
データ書込エリア４１３は、手書きでデータを入力するためのエリアであり、姓用、名用にそれぞれ複数、存在する。データ書込エリア４１３に手書き入力されたデータ、つまり英数字を含む文字は、プロジェクタ３０によって解析、認識され、その認識結果が入力結果表示エリア４１２に表示される。「はい」ボタン４１４は、入力終了時に操作すべきボタンである。「はい」ボタン４１４への操作により、入力結果表示エリア４１２に表示された認識結果が入力データとして確定する。「一文字消す」ボタン４１５は、入力結果表示エリア４１２に最後に表示された文字の消去を指示するためのボタンである。「入力を中止する」ボタン４１１ａは、データ入力の中止を指示するためのボタンである。このボタン４１１ａが操作された場合、入力結果表示エリア４１２に表示された全ての文字、つまり全ての認識結果は無効となる。
【００３２】
「完了」ボタン４３は、データ入力の完了を指示するためのボタンである。この「完了」ボタン４３が操作されることにより、データ入力が終了する。「キャンセル」ボタン４４は、データ入力のキャンセルを指示するためのボタンである。「キャンセル」ボタン４４が操作されることにより、入力された全てのデータは廃棄される。
【００３３】
入力画面４０等でのデータ入力を求めるのは、基本的にはデータ入力を行っていない訪問者のみである。しかし、データ入力は、天板１１１の上面に手を触れることのできない人にとっては不可能である。天板１１１の上面に投影された画像は、天板１１１の近くに居る人でなければ視認するのは不可能か、例え不可能でなくとも、視認は困難である。このようなことから、本実施の形態では、第２エリア２７内に居ないデータ入力が必要な訪問者を想定し、データ入力への誘導のための画像をアクリル板３６に投影させるようにしている。
【００３４】
図５及び図６は、アクリル板に投影させる画像の例を示す図である。より具体的には、図５は、データ入力のために訪問者を誘導するためにアクリル板に投影させる画像の例を示す図である。図６は、入力画面が表示されることを訪問者に知らせるためにアクリル板に投影させる画像の例を示す図である。図５、及び図６ともに、前側からの視点でアクリル板３６に投影された画像の例を示している。
【００３５】
入力台１０に設置されたアクリル板３６の面は、入口から入った訪問者に対して対面するようになっている。図３に示すように、アクリル板３６は、上部１２の前側に設置されている。入力台１０は、図１〜図３に示すように、前側が入口側となっている。そのため、前面からの視認を想定し、後面である投影面に投影された画像は、入口から入った訪問者にとっても視認し易い。このことから、本実施の形態では、アクリル板３６は、入力台１０から比較的に離れた位置に居る人への情報提供に用いている。そのアクリル板３６に、図５に示すようなメッセージを画像として投影させた場合、入口から入った訪問者を入力台１０に非常に高い確率で適切に誘導することができる。
【００３６】
入力台１０は、基本的に、訪問者によるデータ入力を想定して設置している。しかし、入口から入った人が訪問者であるとは限らない。何らかの理由により、訪問者でない人が入力台１０に近づく可能性もある。入口から入って第１エリア２６内に移動した訪問者が第１エリア２６外に移動することも考えられる。このようなことから、投影される画像を視認する可能性のある人は、以降「想定者」と総称する。
【００３７】
なお、図５に示すようなメッセージは、第２エリア２７内に想定者が居ない状況時にのみ表示させることが考えられる。しかし、第１エリア２６内に想定者が居ない状況から、第１エリア２６内に想定者が居る状況に変化した場合に表示させることも考えられる。この場合、アクリル板３６に投影させる画像は、第１エリア２６内に想定者が居ない状況、第２エリア２７を除く第１エリア２６内に想定者が居る状況、及び第２エリア２７内に想定者が居る状況、に分けて画像を切り換えることができる。
【００３８】
このようにして、本実施の形態では、２つの人感センサ１５による想定者の検出結果に応じて、画像を投影する投影対象をアクリル板３６、及び天板１１１のうちから選択すると共に、投影させる画像の切り換えを自動的に行うようにしている。投影対象の選択を変更した際、つまり投影対象を切り換えた際、画像の切り換えも併せて行うようにしている。そのために、アクリル板３６を必要に応じて移動させるようにしている。このような投影対象の選択により、画像を投影できる方向が１方向のプロジェクタ３０であっても、想定者の居る位置に応じて、投影させるべき画像を想定者が視認し易い位置に自動的に投影させることができる。
【００３９】
プロジェクタ３０は、基本的にはデータ入力用である。そのようなプロジェクタ３０が画像を投影可能な対象にアクリル板３６を加えることにより、プロジェクタ３０をより広い用途に使用できるようになる。複数台のプロジェクタ３０を用意するような場合と比較して、コストは大きく抑えることができる。また、アクリル板３６の移動により、画像が投影される対象が切り換えられることから、画像の投影のための広い空間は不要である。本実施の形態では、既存の入力台１０を用いることも可能である。このようなことから、コスト面、設置面における利点もある。
【００４０】
本実施の形態では、２つの人感センサ１５を用いているが、人感センサ１５は一つであっても良い。人感センサ１５が一つのみであっても、図５、及び図６に示すような２つのメッセージをアクリル板３６に投影させることができる。また、想定者を検出する検出センサは、人感センサ１５に限定されない。検出センサは、想定者との間の距離を計測可能なものであっても良い。或いは検出センサの機能は、入力台１０を含む周辺を撮影し、その撮影によって得られた画像を解析して、想定者の有無、及び入力台１０と想定者との間の距離を特定することで実現させても良い。このこともあり、検出センサとしては、情報処理装置を含むものであっても良い。そのために、検出センサが出力する結果データ、より具体的には、結果データの形式、それが示す内容、等も特に限定されない。
【００４１】
図７は、本発明の実施の形態１に係る表示システムの構成例、及びその表示システムに含まれる表示切換制御装置の機能構成例を示す図である。次に図７を参照し、表示システム、及びそれに含まれる表示切換制御装置７０について具体的に説明する。上記のように、この表示システムは、入力台１０に適用されており、全ての構成要素は入力台１０に備えられている。表示切換制御装置７０は、本実施の形態における表示切換制御装置に相当し、例えば入力台１０の下部１１内に収納されている。
【００４２】
本実施の形態における表示システムは、図７に示すように、２つの人感センサ１５、プロジェクタ３０、駆動部３７、表示切換制御装置７０、及び電子ペン８０を含む。電子ペン８０は、上記のように、天板１１１の上面に投影される入力画面４０上でデータ入力を行うためのデバイスである。電子ペン８０は、プロジェクタ３０と無線通信を行う。
【００４３】
表示切換制御装置７０は、例えば１台の情報処理装置であり、入力台１０の下部１１に収納されている。そのため、入力台１０に表示システムの全ての構成要素が存在する。つまり、入力台１０のみで表示システムが実現されている。
【００４４】
電子ペン８０は、上記のように、プロジェクタ３０と無線通信する機能を備えている。また、プロジェクタ３０は、電子ペン８０が指し示している位置を特定する機能を備えている。その機能により、プロジェクタ３０は、入力画面４０のような操作対象となる画像を投影する場合、電子ペン８０と通信することで、投影する画像上の電子ペン８０が指し示している位置を特定する。そのため、想定者が入力画面４０上で電子ペン８０を用いて投影画面を操作した場合、プロジェクタ３０は想定者が操作した位置、その操作内容を特定することができる。よって、想定者は電子ペン８０を用いて、入力画面４０上でデータ入力を行うことができる。
【００４５】
表示切換制御装置７０は、図７に示すように、機能構成として、入力部７１、切換制御部７２、画像記憶部７３、表示制御部７４、及び駆動制御部７５を備えている。
【００４６】
入力部７１は、２つの人感センサ１５と接続されている。それにより、２つの人感センサ１５は、それぞれ、想定者の検出結果を示すデータを入力部７１に出力する。想定者の検出結果を示すデータは、本実施の形態における結果データに相当する。
【００４７】
切換制御部７２は、入力部７１から結果データを入力して処理し、その処理結果に応じて、表示制御部７４、及び駆動制御部７５を制御する。表示制御部７４は、切換制御部７２の指示に従って、プロジェクタ３０に投影させる画像を指定する。そのため、切換制御部７２は、表示制御部７４を介して、プロジェクタ３０に投影させる画像を切り換えることができる。この切換制御部７２の機能が、本実施の形態における切換制御機能に相当する。上記のように、結果データは特に限定されるものではない。
【００４８】
プロジェクタ３０に画像を投影させるための画像データは、画像記憶部７３に保存されている。そのため、表示制御部７４は、必要に応じて、画像記憶部７３に保存されている画像データを読み出し、プロジェクタ３０に出力する。画像記憶部７３に保存されている画像データとしては、訪問者を対象としない画像表示用のデータ７３１、図５に示すようなメッセージの表示用のデータ７３２、図６に示すようなメッセージの表示用のデータ７３３、及び各種入力画面４０表示用のデータ群７３４がある。以降、データ７３１は「一般表示データ７３１」、データ７３２は「入力案内表示データ７３２」、データ７３３は「切換案内表示データ７３３」、データ群７３４は「入力画面データ群７３４」とそれぞれ表記する。
【００４９】
上記のように、プロジェクタ３０は、電子ペン８０による操作位置、及び操作内容を特定することができる。これらの特定結果は、操作情報として表示制御部７４に通知され、表示制御部７４を介して、更に切換制御部７２に通知される。それにより、切換制御部７２は、プロジェクタ３０から通知された操作情報を用いた解析を行い、投影中の入力画面４０上での電子ペン８０による操作内容を特定し、その特定結果に応じた指示を表示制御部７４に対して行う。
【００５０】
ここでの操作内容の特定には、手書きされた位置、手書き入力された文字の認識、等も含まれる。そのため、切換制御部７２は、表示制御部７４に対し、プロジェクタ３０に出力させる入力画面データへの操作を必要に応じて指示する。表示制御部７４は、操作後の入力画面データをプロジェクタ３０に新たに出力する。この結果、プロジェクタ３０が投影する入力画面４０は、電子ペン８０による操作に応じて変化する。手書きされた文字のデータ書込エリア４１３内への表示、その文字の認識結果の入力結果表示エリア４１２への表示等は、入力画面データへの操作、操作後の入力画面データのプロジェクタ３０への出力によって実現される。
【００５１】
駆動制御部７５は、駆動部３７を制御する。そのため、切換制御部７２は、駆動制御部７５を介して、駆動部３７の駆動を制御する。駆動部３７の駆動の制御により、切換制御部７２は、プロジェクタ３０に画像を投影させる対象をアクリル板３６、及び天板１１１の間で切り換えることができる。この駆動制御部７５の機能が、本実施の形態における駆動制御機能に相当する。
【００５２】
図１１は、本発明の実施の形態１に係る表示切換制御装置として用いることが可能な情報処理装置のハードウェア構成例を示す図である。ここで図１１を参照し、表示切換制御装置７０として用いることが可能な情報処理装置のハードウェア構成例について具体的に説明する。図１１では、情報処理装置は表示切換制御装置７０として用いることが可能なことから、符号として「７０」を付している。それにより、ここでは、情報処理装置は、以降「情報処理装置７０」と表記する。
【００５３】
情報処理装置７０は、図１１に示すように、ハードウェア構成として、プロセッサ７０１、メモリ７０２、ＮＩＣ（Network Interface Card）７０３、Ｉ／Ｆ（InterFace）コントローラ群７０４、グラフィックコントローラ７０５を備える。このハードウェア構成は、１例であり、情報処理装置７０のハードウェア構成は、図１１に示すようなものに限定されない。
【００５４】
メモリ７０２は、画像記憶部７３に相当する構成要素であり、例えばＲＡＭ（Random Access Memory）の他に、ハードディスク装置、ＳＳＤ等の補助記憶装置が含まれる。このメモリ７０２には、表示切換制御装置７０を情報処理装置７０上で実現させるプログラムである表示切換制御プログラム７０２ａが記憶されている。つまり、表示切換制御プログラム７０２ａをプロセッサ７０１が実行することにより、情報処理装置７０は表示切換制御装置７０として動作する。
【００５５】
ＮＩＣ７０３は、ネットワークを介した通信を行う構成要素である。画像記憶部７３に保存すべき各種画像データは、ＮＩＣ７０３により、ネットワークに接続された外部装置から取得することができる。ＮＩＣ７０３によって受信されたデータは、プロセッサ７０１の処理により、メモリ７０２に保存される。
【００５６】
Ｉ／Ｆコントローラ群７０４を構成する各Ｉ／Ｆコントローラは、情報処理装置７０に接続可能な周辺装置との通信を実現させる。２つの人感センサ１５、プロジェクタ３０、及び駆動部３７は、全て周辺装置に相当する。周辺装置としては、他に、例えばキーボード、ポインティングデバイス、プリンタ、等を挙げることができる。Ｉ／Ｆコントローラを介して制御する場合、駆動部３７は、モータ等の動力源の他に、動力源を駆動するための駆動回路、Ｉ／Ｆコントローラとの通信を可能にする通信回路、及び通信回路が受信する指示に従って駆動回路を制御する制御回路を含む構成である。
【００５７】
図１１に示す媒体駆動装置７１０も周辺装置に含まれる。この媒体駆動装置７１０は、搭載された、或いは着脱可能な記録媒体７１１にアクセスする装置である。表示切換制御プログラム７０２ａは、記録媒体７１１に記憶させ、媒体駆動装置７１０から情報処理装置７０にロードさせることができる。表示切換制御プログラム７０２ａは、ネットワークを介して情報処理装置７０に送信させるようにしても良い。このようなことから、表示切換制御プログラム７０２ａを記録する記録媒体は、メモリ７０２、及び記録媒体７１１に限定されない。つまり、記録媒体は、ネットワーク等を介した通信が可能な他の外部装置がアクセス可能な記録媒体であっても良い。
【００５８】
グラフィックコントローラ７０５は、情報処理装置７０と接続された表示装置に、プロセッサ７０１に指示された画像データを出力することができる。そのため、情報処理装置７０に接続された表示装置に表示させる画像は、グラフィックコントローラ７０５によりプロセッサ７０１は切り換えることができる。
【００５９】
表示切換制御装置が図１１に示すハードウェア構成であった場合、Ｉ／Ｆコントローラ群７０４を構成する１つ以上のＩ／Ｆコントローラは、入力部７１として機能する。切換制御部７２、表示制御部７４、及び駆動制御部７５は共に、表示切換制御プログラム７０２ａをプロセッサ７０１が実行することによって実現される。切換制御部７２は、直接、周辺装置を制御しないことから、実現させるハードウェア資源は、プロセッサ７０１、及びメモリ７０２を含むハードウェア資源によって実現される。切換制御部７２にデータ通信を行う機能が含まれている場合、ハードウェア資源にはＮＩＣ７０３も含まれる。表示制御部７４、及び駆動制御部７５を実現させるハードウェア資源には、プロセッサ７０１、及びメモリ７０２の他に、例えば１つのＩ／Ｆコントローラが含まれる。
【００６０】
図８〜図１０は、表示切換制御処理の例を示すフローチャートである。この表示切換制御処理は、メモリ７０２に保存された表示切換制御プログラム７０２ａをプロセッサ７０１が実行することにより実現される処理である。次に図８〜図１０を参照して、表示切換制御処理について詳細に説明する。表示切換制御プログラム７０２ａを実行するのはプロセッサ７０１である。このことから、ここでは、処理を実行する主体をプロセッサ７０１とし、説明を行う。
【００６１】
先ず、ステップＳ１１では、プロセッサ７０１は、プロジェクタ３０に画像として表示させるデータとして、一般表示データ７３１を選択する。続くステップＳ１２では、プロセッサ７０１は、対応するＩ／Ｆコントローラを介して、選択した一般表示データ７３１をプロジェクタ３０に出力させ、その一般表示データ７３１を用いた画像の投影をプロジェクタ３０に行わせる。その後、ステップＳ１３に移行する。
【００６２】
ステップＳ１３では、プロセッサ７０１は、人感センサ１５から入力された結果データを参照し、第１エリア２６内に想定者が居るか否か判定する。第１エリア２６内に想定者が居ることを示す結果データが得られた場合、ステップＳ１３の判定はＹＥＳとなってステップＳ１９に移行する。そのような結果データが得られなかった場合、ステップＳ１３の判定はＮＯとなってステップＳ１４に移行する。
【００６３】
第１エリア２６内に想定者が居るケースとしては、第１エリア２６外に居た想定者が第１エリア２６内に移動したケース、つまり人感センサ１５ａが想定者を検出していない状態から想定者を検出する状態に変化したケース、第２エリア２７内に居た想定者が第２エリア２７外の第１エリア２６内に移動したケース、つまり２つの人感センサ１５が共に想定者を検出していた状態から人感センサ１５ａのみが想定者を検出する状態に変化したケース、の２つがある。第２エリア２７外に移動した想定者は、データ入力中の可能性がある。データ入力中での第２エリア２７外への移動は、何らかの理由により、一時的なものである可能性がある。このようなことから、本実施の形態では、データ入力中の想定者の一時的な移動に対応するようにさせている。本実施の形態では、入力画面４０上で入力されたデータが存在する場合、データ入力中であるとしている。
【００６４】
本実施の形態では、第１エリア２６外に移動した想定者は、データ入力を継続する意思がないと見做し、入力済みのデータは無条件で廃棄するようにしている。第２エリア２７外の第１エリア２６内に移動した想定者は、設定された時間内に第２エリア２７内に戻ることを条件に、データ入力の継続を可能にしている。第２エリア２７内に留まる想定者は、データ入力を継続する意思があると見做し、データ入力が可能な状態を維持させるようにしている。
【００６５】
このようなことから、本実施の形態では、ケースにより、以下のような制御を行うようになっている。
（１）データ入力中→第２エリア２７外の第１エリア２６内に想定者が移動→計時開始→更に第１エリア２６外に想定者が移動→データ入力を強制終了させてデータを廃棄させ、アクリル板３６を下降させて一般表示データ７３１を表示
（２）データ入力中→第２エリア２７外の第１エリア２６内に想定者が移動→計時開始→その状態でタイムアウト→データ廃棄し、入力案内表示データ７３２（図５）を表示
（３）データ入力中→第２エリア２７外の第１エリア２６内に想定者が移動→計時開始→タイムアウト前に第２エリア２７内に想定者が移動→計時終了し、データ入力可能な状態を維持
データ入力の強制終了は、データ入力の通常終了との区別を明確にするために、以降「データ入力の解除」と表現する。
【００６６】
図８の説明に戻る。ステップＳ１３の判定がＮＯとなって移行するステップＳ１４では、プロセッサ７０１は、第１エリア２６内でのみ想定者が検出されていた状態から想定者が検出されない状態に変化したか否か判定する。第１エリア２６内に居た想定者が第１エリア２６外に移動したことにより、第１エリア２６内の想定者が検出されなくなった場合、ステップＳ１４の判定はＹＥＳとなってステップＳ１５に移行する。そうでない場合、つまり第１エリア２６内に想定者が居ない状態が継続していた場合、ステップＳ１４の判定はＮＯとなって上記ステップＳ１２に戻る。それにより、プロジェクタ３０は、一般表示データ７３１による画像の投影を継続する。
【００６７】
ステップＳ１５では、プロセッサ７０１は、データの入力中か否か判定する。データの入力中は、何れかの入力画面４０をプロジェクタ３０が投影させている。そのため、入力画面４０をプロジェクタ３０に投影させていた場合、ステップＳ１５の判定はＹＥＳとなってステップＳ１６に移行する。入力画面４０をプロジェクタ３０に投影させていない場合、ステップＳ１５の判定はＮＯとなってステップＳ１８に移行する。
【００６８】
ステップＳ１６では、プロセッサ７０１は、入力されたデータを廃棄する。続くステップＳ１７では、プロセッサ７０１は、対応するＩ／Ｆコントローラを介して駆動部３７を制御し、アクリル板３６を下降させる。次に移行するステップＳ１８では、プロセッサ７０１は、プロジェクタ３０に表示させる画像データとして、一般表示データ７３１を選択する。その後に上記ステップＳ１２に戻る。
【００６９】
上記のように、入力画面４０上で入力されたデータは、表示切換制御装置７０側で認識されて保存される。このデータの保存先は、例えばメモリ７０２上に確保されたワーク用の領域である。この領域に保存されたデータは、廃棄によって消去される。
【００７０】
上記ステップＳ１３の判定がＹＥＳとなって移行するステップＳ１９では、プロセッサ７０１は、第２エリア２７内に想定者が検出されたか否か判定する。２つの人感センサ１５ｂが共に想定者を検出していた場合、ステップＳ１９の判定はＹＥＳとなってステップＳ２０に移行する。人感センサ１５ｂのみが想定者を検出していない場合、つまり第２エリア２７外の第１エリア２６内にのみ想定者が検出された場合、ステップＳ１９の判定はＮＯとなって図１０のステップＳ５１に移行する。
【００７１】
ステップＳ２０では、プロセッサ７０１は、第２エリア２７内に居る想定者が新たに検出されたか否か判定する。人感センサ１５ｂによる検出結果が未検出から検出に変化した場合、ステップＳ２０の判定はＹＥＳとなってステップＳ２１に移行する。人感センサ１５ｂによる検出結果が検出の状態を維持していた場合、つまり第２エリア２７内の想定者が移動していない場合、ステップＳ２０の判定はＮＯとなって図９のステップＳ３１に移行する。
【００７２】
ステップＳ２１では、プロセッサ７０１は、時間の計時中か否か判定する。時間を計時中であった場合、ステップＳ２１の判定はＹＥＳとなってステップＳ２２に移行する。時間を計時中でない場合、ステップＳ２１の判定はＮＯとなってステップＳ２３に移行する。なお、時間の計時は、プロセッサ７０１に搭載されたハードタイマを用いて行うことができる。
【００７３】
ステップＳ２３では、プロセッサ７０１は、第２エリア２７内に想定者が移動したことから、プロジェクタ３０に新たに切換案内表示データ７３３（図６参照）を用いた画像を投影させる。続くステップＳ２４では、プロセッサ７０１は、駆動部３７を制御して、アクリル板３６を上昇させ、アクリル板３６を開口部１２１から退避させる。次に移行するステップＳ２５では、プロセッサ７０１は、プロジェクタ３０に、入力項目毎に用意された入力画面４０のうちの一つである初期入力画面４０を投影させる。この初期入力画面４０が投影されるのは天板１１１の上面である。その後は上記ステップＳ１２に戻る。
【００７４】
上記ステップＳ２０の判定がＮＯとなるのは、プロジェクタ３０に入力画面４０を投影させている状況である。このことから、図９のステップＳ３１〜Ｓ３７では、その状況に対応するための処理が実行される。
【００７５】
上記のように、入力画面４０を投影させているプロジェクタ３０は、電子ペン８０を用いて操作が行われた位置、その操作内容を示す操作情報を表示切換制御装置７０に随時、出力する。プロセッサ７０１は、その操作情報を用いた解析により、入力画面４０上で行われた操作を特定する。その特定結果に応じて、想定者が入力したデータの認識を必要に応じて行い、入力画面４０の表示内容の更新、或いは入力画面４０の切り換えも必要に応じて行う。これらは何れも、図９のステップＳ３１〜Ｓ３７の処理を実行することにより実現される。
【００７６】
先ず、ステップＳ３１では、プロセッサ７０１は、入力画面４０上での操作があったか否か判定する。操作情報を用いた解析により、何らかの操作が検出された場合、ステップＳ３１の判定はＹＥＳとなってステップＳ３２に移行する。何の操作も検出されなかった場合、ステップＳ３１の判定はＮＯとなり、図８のステップＳ１２に戻る。それにより、プロジェクタ３０は、同じ内容の入力画面４０の投影を継続して行うこととなる。
【００７７】
ステップＳ３２では、プロセッサ７０１は、終了操作、つまり「完了」ボタン４３、或いは「キャンセル」ボタン４４への操作が検出されたか否か判定する。この２つのボタン４３、４４への操作が共に検出されなかった場合、つまり手書き入力、或いは他のボタンへの操作を想定者が行ったような場合、ステップＳ３２の判定はＮＯとなってステップＳ３３に移行する。この２つのボタン４３、４４のうちの何れかへの操作が検出された場合、ステップＳ３２の判定はＹＥＳとなってステップＳ３４に移行する。
【００７８】
ステップＳ３３では、プロセッサ７０１は、検出された操作に応じた処理を実行する。その後、図８のステップＳ１２に戻る。ステップＳ３３で行われる処理により、手書き入力に応じた文字認識を含む入力画面４０の更新、投影させる入力画面４０の切り換え、等が実現される。
【００７９】
ステップＳ３４では、プロセッサ７０１は、「完了」ボタン４３への操作が検出されたか否か判定する。「完了」ボタン４３を想定者が操作した場合、ステップＳ３４の判定はＹＥＳとなってステップＳ３６に移行する。「完了」ボタン４３ではなく、「キャンセル」ボタン４４を想定者が操作した場合、ステップＳ３４の判定はＮＯとなってステップＳ３５に移行する。
【００８０】
ステップＳ３５では、プロセッサ７０１は、入力画面４０をプロジェクタ３０に投影させていた間に認識したデータを廃棄、つまり消去すると共に、初期入力画面を新たにプロジェクタ３０に投影させる。そのようにして、次にデータ入力に備えた後、図８のステップＳ１２に戻る。
【００８１】
ステップＳ３６では、プロセッサ７０１は、認識し保存したデータを、想定者が入力したデータとして、別の情報処理装置に送信する。続くステップＳ３７では、プロセッサ７０１は、初期入力画面を新たにプロジェクタ３０に投影させる。そのようにして、次にデータ入力に備えた後、図８のステップＳ１２に戻る。
【００８２】
ステップＳ３６でのデータ送信は、例えばＮＩＣ７０３を用いて行われる。このデータ送信により、訪問者に対応すべき部署、例えば受付、或いは／及び、訪問先の部署に、データが提供される。それにより、訪問者は、データ入力を行った後、訪問先にスムーズに移動することができる。
【００８３】
図１０のステップＳ５１には、想定者が居るのは第２エリア２７外の第１エリア２６内のみとなっている場合に移行する。ステップＳ５１では、プロセッサ７０１は、人感センサ１５ａが新たに想定者を検出したか否か判定する。第１エリア２６外から第１エリア２６内に想定者が移動した場合、人感センサ１５ａによる想定者の検出結果が未検出から検出に変化する。そのため、ステップＳ５１の判定はＹＥＳとなってステップＳ５２に移行する。そうでない場合、つまり第２エリア２７外の第１エリア２６内に居る想定者がその状態を維持させるか、或いは第２エリア２７内に居た想定者が第２エリア２７外の第１エリア２６内に移動した場合、ステップＳ５１の判定はＮＯとなってステップＳ５３に移行する。
【００８４】
ステップＳ５２では、プロセッサ７０１は、プロジェクタ３０に画像の投影に使わせるデータを一般表示データ７３１から入力案内表示データ７３２（図５参照）に変更する。その後、図８のステップＳ１２に戻る。
【００８５】
ステップＳ５３では、プロセッサ７０１は、人感センサ１５ｂによる検出結果が検出から未検出に変化したか否か判定する。その変化は、上記のように、第２エリア２７内に居た想定者が第２エリア２７外の第１エリア２６内に移動した場合に発生する。このため、そのような移動を想定者が行った場合、ステップＳ５３の判定はＹＥＳとなってステップＳ５４に移行する。そうでない場合、つまり第２エリア２７外の第１エリア２６内に居る想定者がその状態を維持させた場合、ステップＳ５３の判定はＮＯとなってステップＳ５８に移行する。
【００８６】
ステップＳ５４では、プロセッサ７０１は、データ入力中か否か判定する。第２エリア２７内から第２エリア２７外の第１エリア２６内に移動した想定者が何らかのデータ入力を行っていた場合、ステップＳ５４の判定はＹＥＳとなってステップＳ５５に移行し、プロセッサ７０１は、計時を開始させる。その後、図８のステップＳ１２に移行する。第２エリア２７内から第２エリア２７外の第１エリア２６内に移動した想定者がデータ入力を行っていない場合、ステップＳ５４の判定はＮＯとなってステップＳ５６に移行する。
【００８７】
ステップＳ５６では、プロセッサ７０１は、対応するＩ／Ｆコントローラを介して駆動部３７を制御し、アクリル板３６を開口部１２１の位置に下降させる。続くステップＳ５７では、プロセッサ７０１は、プロジェクタ３０に画像の投影に使わせるデータとして、入力案内表示データ７３２（図５参照）を選択する。その後、図８のステップＳ１２に戻る。
【００８８】
上記ステップＳ５３の判定がＮＯとなって移行するステップＳ５８では、プロセッサ７０１は、データ入力中か否か判定する。第２エリア２７外の第１エリア２６内に居続けている想定者が何らかのデータ入力を行っていた場合、ステップＳ５８の判定はＹＥＳとなってステップＳ５９に移行する。その想定者がデータ入力を行っていない場合、ステップＳ５８の判定はＮＯとなり、図８のステップＳ１２に戻る。ステップＳ５８の判定がＹＥＳとなる場合、その前にステップＳ５５の処理が実行されており、時間の計時中となっている。
【００８９】
ステップＳ５９では、プロセッサ７０１は、タイムアウトしたか否か判定する。上記ステップＳ５５で計時を開始させてから、設定された時間が経過した場合、タイムアウトとしたとして、ステップＳ５９の判定はＹＥＳとなる。それにより、ステップＳ６０に移行し、プロセッサ７０１は、入力されたデータを廃棄する。その廃棄後は、ステップＳ５６に移行する。それにより、データ廃棄後、プロジェクタ３０は、入力案内表示データ７３２による画像の投影を開始することになる。一方、タイムアウトしていない場合、ステップＳ５９の判定はＮＯとなり、図８のステップＳ１２に戻る。
【００９０】
本実施の形態では、データ入力の終了後、直ちに入力案内表示データ７３２による画像の投影を行わせない。これは、アクリル板３６の移動には比較的に長い時間が必要だからである。つまり、データ入力の終了後、第２エリア２７内に居る他の想定者、或いは第２エリア２７内に直ちに移動するような想定者がデータ入力を行えるようになるまでに要する時間が長くなるのを抑えるためである。そのようにして、入力画面４０の投影を優先させる場合、特にデータ入力を行うべき想定者が複数、居るような状況下において、快適な利用環境が実現される。
【００９１】
第２エリア２７外の第１エリア２６内に居るタイムアウトとなった想定者は、視認できる範囲内に、データ入力を行う可能性のある別の想定者が居る場合、異なる行動を取る可能性が高いと考えられる。つまり、別の想定者がデータ入力を行う可能性を考慮し、「キャンセル」ボタン４４を操作してデータ入力を終了させる確率が高いと考えられる。このことから、データ入力の解除後には、データ入力を行う可能性のある別の想定者は近くに居ないと見做し、直ちに入力案内表示データ７３２による画像の投影を行わせるようにしている。このように入力案内表示データ７３２による画像の投影を行わせることにより、その画像の投影を必要とする想定者に対し、その画像の投影による情報提供をより確実に行えると期待できる。
【００９２】
なお、本実施の形態では、プロジェクタ３０との間の位置関係を変更する部材をアクリル板３６のみとしているが、その部材は複数であっても良い。プロジェクタ３０から離すほど、より大きい画像を投影させることができる。このことから、位置関係を変更可能な部材として、例えばプロジェクタ３０との間の距離が異なる複数の部材を配置し、検出された想定者とプロジェクタ３０との間の距離に応じて、画像、つまり投影光Ｌを投影させる部材を切り換えるようにしても良い。そのように、投影光Ｌを投影させる部材を切り換えた場合、想定者にとって視認し易い大きさの画像を投影させることができる。
【００９３】
投影光Ｌが投影される部材の表面、つまり投影面は、平面状でなくとも良い。例えば投影面は、曲面状であっても良い。各部材の投影面の形状は合わせなくとも良い。複数の異なる方向に投影光Ｌを投影可能なプロジェクタ３０を用いた場合、投影光Ｌが投影可能な２つ以上の方向上に、位置関係を変更可能な部材を１つ以上、配置しても良い。複数の異なる方向が２方向であった場合、位置関係を変更可能な部材を１つ以上、配置するのは１方向のみとし、他の１方向は、想定者の検出結果、或いは想定者との間の距離により、投影光Ｌの投影を行うか否かを決定するようにしても良い。部材とプロジェクタ３０との間の位置関係の変更は、プロジェクタ３０の移動により、実現させても良い。
【符号の説明】
【００９４】
１  入力台、１５ａ、１５ｂ  人感センサ（検出センサ）、３０  プロジェクタ、３６  アクリル板（第１の投影対象部材）、３７  駆動部、７０  表示切換制御装置（情報処理装置）、７１  入力部、７２  切換制御部、７３  画像記憶部、７４  表示制御部、７５  駆動制御部、１１１  天板（第２の投影対象部材）、７３１  一般表示データ、７３２  入力案内表示データ、７３３  切換案内表示データ、７３４  入力画面データ群。
【図１】
0006908668.tif 000002
【図２】
0006908668.tif 000003
【図３】
0006908668.tif 000004
【図４】
0006908668.tif 000005
【図５】
0006908668.tif 000006
【図６】
0006908668.tif 000007
【図７】
0006908668.tif 000008
【図８】
0006908668.tif 000009
【図９】
0006908668.tif 000010
【図１０】
0006908668.tif 000011
【図１１】
0006908668.tif 000012